(57)【要約】【課題】本願発明は、ランプの全長を二つのパイプで覆うものにおいて、装着時の意匠性の低下を招かないとともに、経年使用による前記パイプの意匠性低下も防止することができる照明装置を提供する。【解決手段】本実施形態によれば、第１パイプ４及び第２パイプ５は連結パッキン６においてリブ６３と当接するように設けられるため、ランプ収納部６２とは常に離間して配設されることになる。したがって、ランプ２の発光管２２に直接第１パイプ４及び第２パイプ５が当接することがないので、第１パイプ４及び第２パイプ５がランプ２の発光管２２によって熱劣化することを防ぐことができ、ランプ２が点灯する状態で長時間保護部材１５を使用しても各パイプ４、５の外観低下を招くことがない。  また、連結パッキン６が配設された状態の照明装置１１における連結パッキン６の最外郭となる仕切部６１が極端に突出して位置することはない。【選択図】図１
2008021573.tif 000002
【特許請求の範囲】
【請求項１】
対をなすソケットを備えた器具本体と；
発光部を有し、ソケット間に取り付けられる直管形のランプと；
一方のソケットからランプの略中央部までの長さを有し、ランプの発光部を覆う透光性の第１パイプと；
他方のソケットからランプの略中央部までの長さを有し、ランプの発光部を覆う透光性の第２パイプと；
第１パイプ及び第２パイプのソケット側の端部とランプとに密着して設けられる一対のパッキンと；
第１パイプと第２パイプとの各々のソケット側とは反対側の端部である連結側端部に設けられる連結パッキンと；
を有する照明装置において、
前記連結パッキンは、ランプの発光部外面と近接ないし密接するランプ収納部と、第１パイプ及び第２パイプの各連結側端部が当接する仕切部と、前記ランプ収納部と前記第１パイプ及び第２パイプの各連結側端部の内面側との間に配設されるとともに、前記第１及び第２パイプの各連結側端部の内面と当接するリブとを有することを特徴とする照明装置。
【請求項２】
連結パッキンにおいて第１パイプ及び第２パイプの連結側端部が配設される各領域は、前記仕切部を境にして左右非対称に形成されているとともに、前記リブは前記各領域のうち、幅方向に長い領域側の方が幅方向に短い領域側よりも多く設けられることを特徴とする請求項１記載の照明装置。
【請求項３】
連結パッキンは、第１パイプ及び第２パイプよりも耐熱性の高い材料で形成されていることを特徴とする請求項１又は２記載の照明装置。
【発明の詳細な説明】
【技術分野】
【０００１】
本発明は、ランプを覆うパイプを有する照明装置に関する。
【背景技術】
【０００２】
従来、例えば、直管形の蛍光ランプを透光性のパイプで覆って保温や防水を図った構成が知られている。また、近年は、蛍光ランプの全長が長いものも用いられるようになってきており、このような長尺状の蛍光ランプにも前記パイプを設ける仕様も採用されてきている。
【０００３】
そして、前記の長尺状の蛍光ランプであってもパイプの取付作業性を向上することができる構成については、本件出願人が既に出願している（特許文献１参照）。
【０００４】
この特許文献１の照明装置は、第１パッキン及び第２パッキンを連結する連結パッキンを有し、この連結パッキンは、第１、第２パイプの連結部側端部が収納される第１、第２収納部が形成され、さらにランプの外周部と近接ないし密接する中間凸部が一体で形成されているというものである。そして、この構成によって、第１、第２パイプをランプの異なる端部方向から別々にランプに設けることができるので、長尺状のランプであっても取付作業を容易にすることができるというものであった。
【特許文献１】特開２００５−５６７７３号公報
【発明の開示】
【発明が解決しようとする課題】
【０００５】
上記の背景技術は、第１及び第２パイプが連結パイプの内側に配設される構成であるため、ランプの発光部に各パイプが接することがあり、発光部の熱影響によって当該パイプが劣化する虞があり、意匠性が低下することがあった。
【０００６】
また、上記背景技術は、連結パイプの外郭が第1及び第２パイプの外面よりも突出するように配置されるため、意匠性を低下させる虞があるものであった。
【０００７】
本発明は、このような点に鑑みなされたもので、ランプの全長を二つのパイプで覆うものにおいて、装着時の意匠性の低下を招かないとともに、経年使用による前記パイプの意匠性低下も防止することができる照明装置を提供することを目的とする。
【課題を解決するための手段】
【０００８】
請求項１の照明装置は、対をなすソケットを備えた器具本体と；発光部を有し、ソケット間に取り付けられる直管形のランプと；一方のソケットからランプの略中央部までの長さを有し、ランプの発光部を覆う透光性の第１パイプと；他方のソケットからランプの略中央部までの長さを有し、ランプの発光部を覆う透光性の第２パイプと；第１パイプ及び第２パイプのソケット側の端部とランプとに密着して設けられる一対のパッキンと；第１パイプと第２パイプとの各々のソケット側とは反対側の端部である連結側端部に設けられる連結パッキンと；を有する照明装置において、前記連結パッキンは、ランプの発光部外面と近接ないし密接するランプ収納部と、第１パイプ及び第２パイプの各連結側端部が当接する仕切部と、前記ランプ収納部と前記第１パイプ及び第２パイプの各連結側端部の内面側との間に配設されるとともに、前記第１及び第２パイプの各連結側端部の内面と当接するリブとを有することを特徴とする。
【０００９】
本発明によれば、第１及び第２パイプは連結パッキンにおいてリブと当接するように設けられるため、ランプ収納部とは常に離間して配設されることになる。
【００１０】
また、本発明によれば、照明装置に連結パッキンが配設された状態における連結パッキンの最外郭となる仕切部は、照明装置に連結パッキンを配設した状態における第１パイプ及び第２パイプの外面と略同等の位置に設けることができる。
【００１１】
なお、前記リブは外形形状が円環状であるものが好適である。このような形状であると、各パイプとの摩擦を抑えることができるので、各パイプと連結パッキンとを接続する作業性を向上することができるからである。
【００１２】
請求項２の照明装置は、請求項１記載の照明装置において、連結パッキンにおいて第１パイプ及び第２パイプの連結側端部が配設される各領域は、前記仕切部を境にして左右非対称に形成されているとともに、前記リブは前記各領域のうち、幅方向に長い領域側の方が幅方向に短い領域側よりも多く設けられることを特徴とする。
【００１３】
本発明によれば、第１パイプ又は第２パイプのいずれか一方の連結側端部の方が他方の連結側端部よりも連結パッキンのリブと当接する箇所を増やす（すなわち、当接箇所が多い方が摩擦抵抗が大きい。）ことができる。これにより、例えばランプ交換時等において第１パイプ及び第２パイプを連結パッキンから取外す必要が場合には、必ずリブが多く設けられている側の連結側端部に連結パッキンが残りながら各パイプと連結パッキンとの接続を解除することができる。
【００１４】
請求項３の照明装置は、請求項１又は２記載の照明装置において、連結パッキンは、第１パイプ及び第２パイプよりも耐熱性の高い材料で形成されていることを特徴とする。
【００１５】
本発明によれば、連結パッキンを第１パイプ及び第２パイプよりもランプ側に近接して設けることができる。
【発明の効果】
【００１６】
請求項１記載の発明よれば、第１パイプ及び第２パイプは連結パッキンにおいてリブと当接するように設けられるため、ランプ収納部とは常に離間して配設されることになる。したがって、ランプの発光部に直接第１パイプ及び第２パイプが当接することがないので、第１パイプ及び第２パイプがランプの熱によって劣化することを防ぐことができ、長時間しようしても外観を損ねることはない。
【００１７】
また、連結パッキンが配設された状態の照明装置における連結パッキンの最外郭となる仕切部は、照明装置に連結パッキンを配設した状態における第１パイプ及び第２パイプの外面と略同等の位置に設けることができる。したがって、第１パイプ、第２パイプ及び連結パッキンを配設した状態において、連結パッキンが極端に突出することはないので、意匠性が低下することを抑制することができる。
【００１８】
請求項２記載の発明によれば、第１パイプ又は第２パイプのいずれか一方の連結側端部の方が他方の連結側端部よりも連結パッキンのリブと当接する箇所を増やすことができる。したがって、必ずリブが多く設けられている側の連結側端部に連結パッキンが残りながら各パイプと連結パッキンとの接続を解除することができるので、各パイプと連結パッキンとの着脱作業性を高めることができる。
【００１９】
請求項３記載の発明によれば、ランプの発光部に近接配置される連結パッキンの耐熱性を高めたので、連結パッキンの殆どが第１パイプ及び第２パイプ内に設けられる構成にしてもランプからの熱影響による不具合を容易に防止することができる。
【発明を実施するための最良の形態】
【００２０】
以下、本発明の一実施形態を図面を参照して説明する。図１は本実施形態の照明装置の斜視図であり、図２は図１の照明装置の連結パッキンを示すした一部断面図であり、図３は、図１の照明装置の連結パッキン、第１パイプ及び第２パイプの取り付け状態を示す説明図である。
【００２１】
図において、１１は照明装置で、この照明装置１１は、器具本体１２と、この器具本体１２に取り付けられるランプ２、保護部材３を備えている。そして器具本体１２は天井井面などの被設置部に取り付けられるシャーシ１６と、このシャーシ１６に収納されたインバータ回路や口金台などの電気部品と、シャーシ１６の両端部に取り付けられた一対のソケット１８とを備えている。また、これらソケット１８は、周知の防湿あるいは防雨などの機能を有する防水用ランプソケットすなわちいわゆる防水ソケットである。また、ランプ２は、２５mm径の直管形であって、全長２４００ｍｍの蛍光ランプであり直管状のガラス管であって発光部である発光管２２と、この発光管２２の両端部に位置する図示しない口金部とを備えている。
【００２２】
そして、保護部材１５は、蛍光灯被覆装置とも呼びうるもので、透明部材からなる第１パイプ４、第２パイプ５と連結パッキン６及び第１、２パイプ４，５のソケット１８側端部に取り付けられたパッキン７、７とを備えている。なお、保護部材１５はランプ２の一対の口金間と略同じ長さで構成されている。
【００２３】
連結パッキン６は、第１パイプ４及び第２パイプ５よりは耐熱性の高い材料で形成されているものであって、図２，３に示すように、第１パイプ４と第２パイプ５との各々のソケット１８側とは反対側の端部である連結側端部４１、５１が当接する仕切部６１が凸状に形成されている。また、連結パッキン６は、ランプ２の発光管２２の外面が近接ないし密接配置されるランプ収納部６２が筒状に形成されており、そして、前記ランプ収納部６２の外側には、外形形状が円環状である複数のリブ６３が仕切部６１を介して左右の領域に設けられている。
【００２４】
さらにまた、連結パッキン６は、第１パイプ４が設けられる側の領域６４の方が第２パイプ５が設けられる側の領域６５よりも幅方向に長く形成されている（仕切部６１を境にして左右非対称形状）。そして、前記リブ６３は、領域６４側の方が領域６５側よりも多くなるように設けられている。
【００２５】
またパッキン７は、図３に示すように、キャップあるいはパイプキャップとも呼ばれるもので、弾性変形可能な素材、例えば、シリコンにより、円筒状をなしてランプ２の発光管２２または口金部と近接ないし密接する本体部７１を含む全体が一体に形成されている。そして、本体部７１の内周面部からは、軸方向に沿った一端部近傍から、内周側に向かい、断面半円状の内側突部７２が周方向に連続してすなわち全周に円環状をなして突設されており、この内側突部７２がランプ２の発光管２２と当接するように形成されている。
【００２６】
ここで、本実施形態における保護部材１５とランプ２との取付について図３を用いて説明する。
【００２７】
まず連結パッキン６の仕切部６１の内側であってランプ収納部６２内にランプ２を圧入し、連結パッキン６をランプ２の略中間部に位置させる。
【００２８】
次に、第１パイプ４及び第２パイプ５の一方側の端部の内側にパッキン７を圧入し、係第１、第２パイプ４、５の端面に当接して位置決めするとともに、本体部７１の外面を第１及び第２パイプ４、５の内側に面状に密着させた状態にする。
【００２９】
そして、このように形成された第１パイプ４のパッキン７が設けられていない連結側端部４１側の開口からランプ２の一方の端部を挿入していくと、ランプの一方の端部はパッキン７に徐々に近づくとともに、第１パイプの連結側端部４１が領域６４側のリブ６３を乗り越えながら仕切部６１と当接する状態となって位置決めがされる。
【００３０】
そしたまた同じように第２パイプ５もパッキン７が設けられていない連結側端部５２側の開口からランプ２の他方の端部を挿入していくと、ランプの他方の端部はパッキン７に徐々に近づくとともに、第２パイプの連結側端部５１が領域６５側のリブ６３を乗り越えながら仕切部６１と当接する状態となって位置決めがされる。
【００３１】
このように保護部材１５とランプ２とを取り付けることで、ランプの両端のキャップ７の内側突部７２および連結パッキン６のランプ収納部６２が発光管２２に線状に当接するので、発光管２２に対して所定の間隔で第１、第２パイプ４、５が対向する状態となる。
【００３２】
本実施形態によれば、第１パイプ４及び第２パイプ５は連結パッキン６においてリブ６３と当接するように設けられるため、ランプ収納部６２とは常に離間して配設されることになる。したがって、ランプ２の発光管２２に直接第１パイプ４及び第２パイプ５が当接することがないので、第１パイプ４及び第２パイプ５がランプ２の熱によって劣化することを防ぐことができ、ランプ２が点灯する状態で長時間保護部材１５を使用しても各パイプ４、５の外観低下を招くことがない。
【００３３】
また、連結パッキン６が配設された状態の照明装置１１における連結パッキン６の最外郭となる仕切部６１は、照明装置１１に連結パッキン６を配設した状態における第１パイプ４及び第２パイプ５の外面と略同等の位置に設けることができる。したがって、第１パイプ４、第２パイプ５及び連結パッキン６を配設した状態において、連結パッキン６が極端に突出して位置することはないので、保護部材１５全体として意匠性が低下することを抑制することができる。
【００３４】
また連結パッキン６の各リブ６３は、外形形状が円状であっる円環状に形成されているため、各パイプ４，５を取付及び取外す場合の摩擦力を低くしており、作業性が低下することがない。
【００３５】
また、本実施形態においては、第１パイプ４の連結側端部４１と第２パイプ５の連結側端部５１とでは連結パッキン６のリブ６３と当接する箇所を敢えて異ならせているものである。これは、例えば、ランプ２が取り付けられた状態の保護部材１５からランプ２を取外す場合には、第１パイプ４及び第２パイプ５の連結状態を解除する必要があるが、第１パイプ４又は第２パイプ５のどちらか一方のパイプをパッキン７が設けられている側の端部から連結パッキン６と離間させる方向に引っ張ると、必ずリブ６３が設けられている第１パイプ４側の連結側端部４１に連結パッキン６が残ることになる。したがって、特に保護部材１５の解除作業の場合に不用意に連結パッキン６が落下する等の手間もなくなって、着脱作業性を高めることができる。また、これに伴い、保護部材１５の解除作業時の連結パッキン６の落下等の不具合もなく、かつ、スムーズに解除作業ができることから、解除作業の煩雑さを考慮することがないために、各パイプ４，５と連結パッキン６との接続工程における接続を強くかつ確実に行うことができる。
【００３６】
また、ランプ２の発光管２２に近接配置される連結パッキン６の耐熱性を高めたので、連結パッキン６の殆どが第１パイプ４及び第２パイプ５内に設けられる構成にしてもランプ２からの熱影響による不具合を容易に防止することができる。
【図面の簡単な説明】
【００３７】
【図１】本実施形態の照明装置の斜視図
【図２】本実施形態のの照明装置の連結パッキンを示す一部断面図
【図３】本実施形態の照明装置の連結パッキン、第１パイプ及び第２パイプの取り付け状態を示す説明図
【符号の説明】
【００３８】
２・・・ランプ、４・・・第1パイプ、５・・・第２パイプ、６・・・連結パッキン、１１・・・照明装置、１６・・器具本体、６１・・・仕切部、６２・・・ランプ収納部、６３・・・リブ
【図１】
2008021573.tif 000003
【図２】
2008021573.tif 000004
【図３】
2008021573.tif 000005